(57)【要約】【課題】ナビゲーション装置に警報機能を持たせるとともに、走行中のユーザに対して最低限の簡単な操作方法を提供して警報機能の操作を許可するようにしたナビゲーション装置を提供する。【解決手段】ナビゲーション装置１が自転車に装着されたことを検出する装着検出部１８と、前記自転車が走行中であることを検出する走行・停止判別部１６と、警報または警報メッセージを音声データとして予め記憶した記憶部１０２と、音声出力部１３から前記警報または警報メッセージを出力するよう制御する電子ベル制御部１７と、を備え、前記走行・停止判別部１６が、前記自転車が走行中であると判別した場合、前記タッチパネルのタッチ操作を検出すると、前記電子ベル制御部１７は音声出力部１３から前記警報または警報メッセージを出力するよう制御する。【選択図】図１
2013088418.tif 000002
【特許請求の範囲】
【請求項１】
タッチパネルからなる操作部を有する表示部を備え、自転車に装着可能なナビゲーション装置であって、
ナビゲーション装置が自転車に装着されたことを検出する装着検出部と、前記自転車が走行中であることを検出する走行・停止判別部と、警報または警報メッセージを音声データとして予め記憶した記憶部と、音声出力部から前記警報または警報メッセージを出力するよう制御する電子ベル制御部と、を備え、
前記装着検出部により、当該ナビゲーション装置が前記自転車に装着されていることが検出され、且つ、前記走行・停止判別部が、前記自転車が走行中であると判別した場合、前記電子ベル制御部は、前記タッチパネルのタッチ操作を検出すると、音声出力部から前記警報または警報メッセージを出力するよう制御することを特徴とするナビゲーション装置。
【請求項２】
前記走行・停止判別部が、自転車が走行中であると判別した場合、前記電子ベル制御部は、前記表示部の表示画面に電子ベルのアイコンを表示するよう制御することを特徴とする請求項１に記載のナビゲーション装置。
【請求項３】
前記走行・停止判別部が、自転車が走行中であると判別した場合、前記タッチパネルのタッチ操作以外の操作に基づく処理を禁止することを特徴とする請求項１又は請求項２に記載のナビゲーション装置。
【請求項４】
タッチパネルからなる操作部を有する表示部を備え、自転車に装着可能なナビゲーション装置における電子ベル制御方法であって、
ナビゲーション装置が自転車に装着されたことを検出する装着検出部と、前記自転車が走行中であることを検出する走行・停止判別部と、警報または警報メッセージを音声データとして予め記憶した記憶部と、音声出力部から前記警報または警報メッセージを出力するよう制御する電子ベル制御部と、を備え、
前記装着検出部により、当該ナビゲーション装置が前記自転車に装着されていることが検出され、且つ、前記走行・停止判別部が、前記自転車が走行中であると判別した場合、前記タッチパネルのタッチ操作を検出するステップ、前記タッチパネルのタッチ操作を検出すると、前記電子ベル制御部が音声出力部から前記警報または警報メッセージを出力するよう制御するステップと、を有することを特徴とする電子ベル制御方法。
【請求項５】
前記走行・停止判別部が、自転車が走行中であると判別した場合、前記電子ベル制御部が、前記表示部の表示画面に電子ベルのアイコンを表示するステップを更に有することを特徴とする請求項４に記載の電子ベル制御方法。
【発明の詳細な説明】
【技術分野】
【０００１】
本発明は、自動車や自転車等の車両に取り外し自在に装着され、歩行時に車両から取り外して携帯用としても使用可能なナビゲーション装置に関するものであり、特に、自転車に取り付けた場合に、ナビゲーション装置のスピーカから、歩行者に対する警報用のベルを出力する電子ベル機能を設けたナビゲーション装置に関するものである。
【背景技術】
【０００２】
近年の電子機器は、たとえば、ナビケーション機能、オーディオビジュアル機能などの各種機能を備えたものが広く普及している。そして、その使用形態も自動車などに搭載して車載用として用いるだけでなく、必要に応じて車両から取外して携帯用として使用することができるなど極めて好都合なものである。更に、搭載する車両は自動車に限らず自転車に取付けて用いられることが考えられている。
【０００３】
例えば、下記の特許文献１（特開２００４−３３０９４４号公報）には、走行速度やバッテリー残量等の状態表示を行うための表示部ユニットに、ＧＰＳによる位置情報を検出するＧＰＳユニットと、地図情報を格納した地図情報メモリとを含むナビゲーション装置を設け、ＬＣＤ表示部の表示画面の半分を用いて走行モードや走行距離等の状態情報の表示を行い、残りの半分を用いてナビゲーション表示を行うことにより、自転車の走行状態とともに、自転車の現在位置や目的地までの進路を容易に認識でき、目的地までの所要時間や労力等を簡易に把握できるようにしたナビゲーション装置が開示されている。
【０００４】
また、下記の特許文献２（特開２０１１−１１２４７９号公報）には、表示部と、ＧＰＳ衛星から送出されるＧＰＳ信号に基づいて現在地を求めるＧＰＳ測位手段と、道路の距離及び勾配に関する情報を含むマップ情報を記憶するマップ記憶部と、現在地から目的地までの複数の経路を探索する経路探索部とを備え、経路探索部は、マップ情報を用いて経路の距離及び勾配に基づいてランク付けを行い、ランク付けされた経路はランク順に表示部に表示されるように構成したＰＮＤにおいて自転車走行に最適な経路探索を行うようにしたナビゲーション装置が開示されている。
【０００５】
一般に、自動車や自転車などの車両に用いられるナビゲーション装置において、走行中にユーザがナビゲーション装置を操作すると、事故に危険性があり、走行中（運転中）の操作を受け付けないように構成される。例えば、下記の特許文献３（特開平１０−０９０３９０号公報）には、地図情報と車両の現在位置情報とを含む情報を表示する表示手段と、該表示手段の表示内容を制御するために設けられ、乗員により操作される操作手段とを備えたものにおいて、車両の走行中に操作手段の操作による表示内容の制御を禁止するように構成したナビゲーション装置が開示されている。
【０００６】
一方、自転車には他の歩行者に対して自転車の接近を知らせるため、ユーザが指で操作するベルが設けられている。最近では、前記の警報のためのベルに代えて、電子的に音、あるいは予め録音した音声を出力する機器も提案されている。例えば、下記の特許文献４（特開２００７−１７６３９０号公報）には、自転車に取り付け可能な警報装置として、声などの音をマイクから入力して記録する録音部および記憶部と、録音した音データをスピーカから再生して警報として出力可能な再生部と、電源と、録音ボタンおよび再生ボタンとを備えて、声データを自転車使用時の警報として出力可能に構成し、警報音を出した際に、警報対象者などに、面白みや楽しさを与えることができ、警報対象者などに対して不快感を与えないようにした自転車用の警報装置が開示されている。
【先行技術文献】
【特許文献】
【０００７】
【特許文献１】特開２００４−３３０９４４号公報
【特許文献２】特開２０１１−１１２４７９号公報
【特許文献３】特開平１０−０９０３９０号公報
【特許文献４】特開２００７−１７６３９０号公報
【発明の概要】
【発明が解決しようとする課題】
【０００８】
ところで、特許文献１や特許文献２のように自転車に設置して用いるナビゲーション装置に、特許文献４のような警報装置の機能を兼ねるようにすると、それぞれ別個の装置を必要とせず、好ましい。一般に、ナビゲーション装置の表示部は、液晶表示ユニットとタッチパネルユニットを組み合わせて構成されている例が多く、表示画面に警報マーク（警報ベル）を表示しておき、ユーザが画面を指でタッチすることで、予め用意された音もしくは音声をナビゲーション装置のスピーカから出力するように構成すると容易にナビゲーション装置に警報装置の機能を持たせることができる。
【０００９】
しかしながら、その場合であっても、自転車走行中のユーザによるナビゲーション装置の操作は、交通事故の原因ともなり兼ねないので、特許文献３のように禁止する構成とすることが好ましい。一方、警報機能は、他の歩行者との間の事故を防止する点で必要な機能であり、これを走行中操作禁止としてしまうと、ナビゲーション装置に警報機能を持たせた意味がなくなってしまうというジレンマが生じる。
【００１０】
本発明は、上記問題点に鑑みてなされたものであり、ナビゲーション装置に警報機能を持たせるとともに、走行中のユーザに対して最低限の簡単な操作方法を提供して警報機能の操作を許可するようにしたナビゲーション装置および電子ベル制御方法を提供することを目的とする。
【課題を解決するための手段】
【００１１】
前記課題を解決するために、本願の請求項１にかかる発明は、
タッチパネルからなる操作部を有する表示部を備え、自転車に装着可能なナビゲーション装置であって、
ナビゲーション装置が自転車に装着されたことを検出する装着検出部と、前記自転車が走行中であることを検出する走行・停止判別部と、警報または警報メッセージを音声データとして予め記憶した記憶部と、音声出力部から前記警報または警報メッセージを出力するよう制御する電子ベル制御部と、を備え、
前記装着検出部により、当該ナビゲーション装置が前記自転車に装着されていることが検出され、且つ、前記走行・停止判別部が、前記自転車が走行中であると判別した場合、前記電子ベル制御部は、前記タッチパネルのタッチ操作を検出すると、音声出力部から前記警報または警報メッセージを出力するよう制御することを特徴とする。
【００１２】
本願の請求項２にかかる発明は、請求項１にかかるナビゲーション装置において、前記走行・停止判別部が、自転車が走行中であると判別した場合、前記電子ベル制御部は、前記表示部の表示画面に電子ベルのアイコンを表示するよう制御することを特徴とする。
【００１３】
本願の請求項３にかかる発明は、請求項１又は請求項２にかかるナビゲーション装置において、前記走行・停止判別部が、自転車が走行中であると判別した場合、前記タッチパネルのタッチ操作以外の操作に基づく処理を禁止することを特徴とする。
【００１４】
本願の請求項４にかかる発明は、
タッチパネルからなる操作部を有する表示部を備え、自転車に装着可能なナビゲーション装置における電子ベル制御方法であって、
ナビゲーション装置が自転車に装着されたことを検出する装着検出部と、前記自転車が走行中であることを検出する走行・停止判別部と、警報または警報メッセージを音声データとして予め記憶した記憶部と、音声出力部から前記警報または警報メッセージを出力するよう制御する電子ベル制御部と、を備え、
前記装着検出部により、当該ナビゲーション装置が前記自転車に装着されていることが検出され、且つ、前記走行・停止判別部が、前記自転車が走行中であると判別した場合、前記タッチパネルのタッチ操作を検出するステップと、前記タッチパネルのタッチ操作を検出すると、前記電子ベル制御部が音声出力部から前記警報または警報メッセージを出力するよう制御するステップと、を有することを特徴とする。
【００１５】
本願の請求項５にかかる発明は、請求項４にかかる電子ベル制御方法において、前記走行・停止判別部が、自転車が走行中であると判別した場合、前記電子ベル制御部が、前記表示部の表示画面に電子ベルのアイコンを表示するステップを更に有することを特徴とする。
【発明の効果】
【００１６】
請求項１にかかる発明においては、タッチパネルからなる操作部を有する表示部を備え、自転車に装着可能なナビゲーション装置であって、ナビゲーション装置が自転車に装着されたことを検出する装着検出部と、前記自転車が走行中であることを検出する走行・停止判別部と、警報または警報メッセージを音声データとして予め記憶した記憶部と、音声出力部から前記警報または警報メッセージを出力するよう制御する電子ベル制御部と、を備え、前記装着検出部により、当該ナビゲーション装置が前記自転車に装着されていることが検出され、且つ、前記走行・停止判別部が、前記自転車が走行中であると判別した場合、前記電子ベル制御部は、前記タッチパネルのタッチ操作を検出すると、音声出力部から前記警報または警報メッセージを出力するよう制御する。
【００１７】
かかる構成によれば、ナビゲーション装置が自転車に装着され、自転車が走行中である場合には、音声出力部を電子ベルとして機能させ、画面へのユーザのタッチ操作により、周囲を歩行中の歩行者に自転車の接近を報知する音声や警報ベルを音声出力するから、最小限のユーザ操作で容易に警報を報知することができるようになる。
【００１８】
また、請求項２にかかる発明においては、請求項１にかかるナビゲーション装置において、前記走行・停止判別部が、自転車が走行中であると判別した場合、前記電子ベル制御部は、前記表示部の表示画面に電子ベルのアイコンを表示するよう制御するから、ユーザに電子ベルが有効であることを視認させることができるようになる。
【００１９】
また、請求項３にかかる発明においては、請求項１又は請求項２にかかるナビゲーション装置において、前記走行・停止判別部が、自転車が走行中であると判別した場合、前記タッチパネルのタッチ操作以外の操作に基づく処理を禁止するから、自転車走行の安全性を損なうことがない。
また、請求項４、５にかかる発明においては、請求項１、２にかかるナビゲーション装置における電子ベルの制御方法を提供することができる。
【図面の簡単な説明】
【００２０】
【図１】本発明の実施例にかかるナビゲーション装置の構成を示すブロック図である
【図２】本発明の実施例にかかるナビゲーション装置の処理手順を説明するためのフローチャートである。
【図３】本発明の実施例にかかるナビゲーション装置の表示画面の一例を示す図である。
【発明を実施するための形態】
【００２１】
以下、本発明の具体例を実施例及び図面を用いて詳細に説明する。但し、以下に示す実施形態は、本発明の技術的思想を具体化するためにナビゲーション装置を例示するものであって、本発明をこのナビゲーション装置に特定することを意図するものではなく、特許請求の範囲に含まれるその他の実施形態の通信装置にも等しく適応し得るものである。
【実施例】
【００２２】
図１は、本発明の一実施例にかかるナビゲーション装置の構成を説明するためのブロック図である。本実施例のナビゲーション装置１は、図１に示されるように、制御部１０、ＧＰＳ（Global Positioning System)受信機１１、地図情報記憶部１２、音声出力部１３、表示部１４、操作部１５、走行・停止判別部１６、電子ベル制御部１７、装着検出部１８を備えて構成される。
【００２３】
本実施例にかかるナビゲーション装置１は、ポータブルナビゲーション装置（ＰＮＤ：Portable Navigation Device）であり、自動車のダッシュボードや自転車のハンドルに設けられた所定の取り付け具（不図示）に着脱自在に取り付けることができる。所定の取り付け具に設けられた検出スイッチなど（不図示）により、ナビゲーション装置１が自動車あるいは自転車に装着されたことを検出することができ、装着検出部１８は、前記の検出スイッチの出力に基づいてナビゲーション装置１が自転車、自動車の何れに装着されたかを検出する。装着が検出されない場合は、ナビゲーション装置１はユーザに携帯されているものと判断する。
【００２４】
制御部１０は、ＣＰＵ（不図示）、ＲＯＭ１０１、ＲＡＭ１０２からなるプロセッサで構成され、ＲＯＭ１０１、ＲＡＭ１０２に記録された制御プログラムに従ってナビゲーション装置１の各部の動作を制御・統括するものである。
【００２５】
ＧＰＳ受信機１１は、ナビゲーション装置１（ナビゲーション装置１が搭載された車両）の現在位置や進行方向を検出する現在位置検出部であり、例えば、地球上空を周回している３個以上のＧＰＳ衛星から時刻情報及び位置情報を含む電波を受信して処理することにより検出することができる。
【００２６】
制御部１０は、ＧＰＳ受信機１１によって検出された現在位置だけでなく加速度センサや角速度センサ（何れも不図示）により検出された加速度や角速度を用いて補完（ＧＰＳ受信機１１によって現在位置が検出される間の現在位置を加速度や角速度で推測する等）し、ＧＰＳ受信機１１によって現在位置が検出できない場合（トンネルなどを走行する場合）には、加速度や角速度に基づいて現在位置を算出する。そのため、このＧＰＳ受信機１１や加速度センサや角速度センサ等により、現在位置を検出する現在位置検出部が構成される。
【００２７】
また、制御部１０は、ＧＰＳ受信機１１等によって検出された現在位置からユーザが操作部１５を介して設定した目的地までの経路を、地図情報記憶部１２に記憶された地図情報を参照してダイクストラ法などの手法を用いて探索する。そして、制御部１０は、地図情報を参照して探索された目的地までの経路を表示部１４に表示させる。
【００２８】
地図情報記憶部１２は、道路の分岐地点等の結節点をノードとする道路ノードデータと、それぞれのノード間を結ぶ経路をリンクとした道路リンクデータと、施設データと、地形図データとを含む地図情報を記憶する。
【００２９】
道路ノードデータには、道路ノード番号、位置座標、接続リンク本数、分岐地点名称等が含まれる。道路リンクデータには、始点および終点となる道路ノード番号、道路種別、ノード間の距離情報であるリンク長（リンクコスト）、所要時間、車線数、車道幅などが含まれる。道路リンクデータには、さらに、リンク属性として橋、トンネル、踏切、料金所、制限速度等のデータが付与される。道路種別とは、高速道路や有料道路の別、国道や都道府県道等の別を含む情報であり、種別以外にも道路の名称を含んでいてもよい。
【００３０】
施設データには、主要なランドマークや各種の施設について、施設の位置、施設の種別（コンビニエンスストア・ガソリンスタンドなど）、施設名称、営業時間などが含まれ、地形図データには、海岸線、湖沼、河川形状などの水系データ、行政境界データ等が含まれる。
【００３１】
音声出力部１３は、経路案内の際の音声ガイダンスや、警告等のブザー音等を出力するスピーカなどで構成される。音声出力部１３はまた、ナビゲーション装置１が自転車に装着されており、走行中である場合には、後述するユーザ操作（表示部１４を構成するタッチパネルへのタッチ操作）により、他の歩行者に自転車の接近を報知するベル音や音声を出力することで、電子ベルとしての機能を果たす。
【００３２】
表示部１４は、地図情報記憶部１２に記憶された地図情報に基づく地図画像、制御部１０により探索された経路、現在位置を示す現在位置マーク等を表示し、また操作部１５による入力作業のための画面を表示するものであり、例えば、液晶パネルによって構成される。なお、表示部１４は、タッチパネルを備えることで、操作部１５の機能を持たせている。
【００３３】
操作部１５は、ユーザによって操作され、出発地、目的地、経由地等の経路探索条件を入力するためのものである。また、操作部１５は、上記のタッチパネル以外にも、ナビゲーション装置１に設けられたハードキーで構成されてもよいし、画面にソフトキーを表示するような構成であってもよい。
【００３４】
制御部１０により探索された経路やガイダンス情報、あるいは、操作部１５を介して設定された目的地等の各種情報は、ＲＡＭ１０２に記憶されるが、制御部１０のＲＡＭ１０２に代えてハードディスクやフラッシュメモリなどの記憶媒体を記憶部として備える構成であってもよい。
【００３５】
また、ナビゲーション装置１に、外部の他の機器やサーバとの間で通信回線を介して各種情報を送受信する機能が必要な場合には、利用する通信回線に適合する通信部（通信インタフェース）を設けることができる。
【００３６】
走行・停止判別部１６は、装着検出部１８がナビゲーション装置１の自転車への装着を検出した場合に、自転車が走行中か、停止しているかを判別する。走行・停止はＧＰＳ受信機１１の測位出力あるいは加速度や角速度の情報に基づいて判別することができる。また、自転車に速度計などが設けられている場合には、取り付け具を介して速度計の情報を取得するように構成して判別することもできる。
【００３７】
本発明においては、ナビゲーション装置１が自転車に装着され、自転車が走行中である場合には、表示部１４に表示する地図表示画面に、電子ベルのアイコンを表示し、このアイコンが表示されている場合に、ユーザが画面をタッチすることで、周囲を歩行中の歩行者に自転車の接近を報知する音声や警報ベルを音声出力部１３より出力する。なお、走行中においては、電子ベル機能は有効となるが、その他のナビゲーション装置の操作は禁止される。手走行・停止判別部１６が自転車の走行を検出していない場合には、電子ベルのアイコンを表示せず、電子ベルの機能を停止させる。
【００３８】
このように、自転車が走行中である場合には、音声出力部１３を電子ベルとして機能させ、画面へのユーザのタッチ操作により、周囲を歩行中の歩行者に自転車の接近を報知する音声や警報ベルを音声出力するから、最小限のユーザ操作で容易に警報を報知することができる。また、表示部の表示画面に電子ベルのアイコンを表示することで、ユーザに電子ベルが有効であることを容易に視認させることができる。
【００３９】
図３は、地図表示画面の一例を示す図である。画面にはスタート（現在位置または出発地から目的地までの範囲をカバーする地図画像と、探索された経路の画像およびその経路上に三角印で現在位置マークの画像が表示される。ナビゲーション装置１が自転車に装着され、自転車が走行中である場合、画面には電子ベルのアイコン２０が表示され、この状態でユーザが画面をタッチすると音声出力部１３から警報が出力される。タッチの範囲は電子ベルのアイコン２０としてもよく、表示画面のどの部分をタッチしても警報出力するように構成してもよい。
【００４０】
電子ベル制御部１７は、表示部１４に電子ベルのアイコンが表示され、ユーザによる画面のタッチ操作が検出されると、音声出力部１３に、予め設定してある警報音や警報メッセージを音声出力させる制御を行う。例えば、ＲＡＭ１０２に予め「ベル音」、「警報音」あるいは「自転車が通ります。気を付けて下さい。」などの警報メッセージを設定しておき、これを音声出力部１４のスピーカから出力させる。
【００４１】
次に、図２に示すフローチャートを参照して、本発明にかかるナビゲーション装置１の動作手順を説明する。先ず、装着検出部１８はナビゲーション装置１が自転車に設置（装着）されているかを検出する（ステップＳ１０１）。自転車への装着が検出されなければ、ステップＳ１０６の処理に進む。自転車への装着が検出されると、走行・停止判別部１６は、自転車が走行中か否かを判別する（ステップＳ１０２）。自転車が走行中でなければ、ステップＳ１０６の処理に進む。
【００４２】
自転車が走行中であると判別されると（ステップＳ１０２のＹＥＳ）、制御部１０は表示部１４に表示中の画像上に電子ベルのアイコン（図３の参照符号２０を参照）を表示する。次いで、制御部１０が表示部１４の画面におけるユーザのタッチ操作を検出すると（ステップＳ１０４）、電子ベル制御部１７は、予め設定してある警報音や警報メッセージを、音声出力部１３を介して音声出力させる（ステップＳ１０５）。タッチ操作が検出されなければステップＳ１０６の処理に進む。
そして、制御部１０は、ステップＳ１０６でナビゲーション装置１の電源がＯＦＦされたか否かを判別し、電源ＯＦＦが検出されなければステップＳ１０１に戻り、電源ＯＦＦが検出されれば処理を終了する。
【００４３】
以上、詳細に説明したように、本発明にかかるナビゲーション装置によれば、ナビゲーション装置が自転車に装着され、自転車が走行中である場合には、表示部に表示された画面上に電子ベルのアイコンを表示し、ユーザが画面をタッチすることで、周囲を歩行中の歩行者に自転車の接近を報知する音声や警報ベルを出力する。従って、最小限のユーザ操作で容易に警報を報知することができるようになる。また、走行中においては、電子ベル機能が有効となるため、その他のナビゲーション装置の操作は禁止されるので、自転車走行の安全性を損なうことがない。
【符号の説明】
【００４４】
１・・・・ナビゲーション装置
１０・・・制御部
１０１・・ＲＯＭ
１０２ ・・ＲＡＭ
１１・・・ＧＰＳ受信機
１２・・・地図情報記憶部
１３・・・音声出力部
１４・・・表示部
１５・・・操作部
１６・・・走行・停止判別部
１７・・・電子ベル制御部
１８・・・ 装着検出部
【図１】
2013088418.tif 000003
【図２】
2013088418.tif 000004
【図３】
2013088418.tif 000005